(57)【要約】【課題】  壁つなぎを壁つなぎアンカーから取り外すことなく、壁つなぎアンカーの周囲の外壁に座掘り部を容易に形成する。【解決手段】  壁つなぎアンカー２の雌ネジ部２４の周囲にシーリング材５３を充填するための座掘り部５１ｃを壁パネル５１に形成する座掘り治具１００であって、壁つなぎアンカー２の雌ネジ部２４及び壁つなぎ４を包囲し、壁つなぎアンカー２の雌ネジ部２４及び壁つなぎ４の外周部に沿って回動するガイド部１１０と、ガイド部１１０の先端側に設けられ、ガイド部１１０の回動によって座掘り部５１ｃを形成する切削刃１２０と、ガイド部１１０の後端側から放射方向に延伸するハンドル部１３０Ａ及び１３０Ｂとを備える。ガイド部１１０は、壁つなぎ４の軸線方向に対して交差する方向に着脱し得るように分割可能である。【選択図】  図５
2014240560.tif 000002
【特許請求の範囲】
【請求項１】
外壁を備える建物の躯体に連結され、接続部を前記外壁の外側面に持ち出す壁つなぎアンカーと、一端が前記接続部に接続され他端が仮設足場に接続される壁つなぎと、を有する仮設足場構造において、前記壁つなぎアンカーの接続部の周囲にシーリング材を充填するための座掘り部を前記外壁に形成する座掘り治具であって、
前記壁つなぎアンカーの接続部及び前記壁つなぎを包囲し、前記壁つなぎアンカーの接続部及び前記壁つなぎの外周部に沿って回動するガイド部と、
前記ガイド部の先端側に設けられ、前記ガイド部の回動によって前記外壁を切削して前記座掘り部を形成する切削刃と、
前記ガイド部の後端側から放射方向に延伸するハンドル部と、
を備え、
前記ガイド部は、前記壁つなぎの軸線方向に対して交差する方向に着脱し得るように分割可能である、座掘り治具。
【請求項２】
前記ガイド部は、複数のガイド形成部材によって構成され、前記複数のガイド形成部材を連結することによって前記壁つなぎアンカーの接続部及び前記壁つなぎを包囲する、請求項１に記載の座掘り治具。
【請求項３】
前記ガイド形成部材同士の連結構造として、前記ガイド形成部材同士を揺動可能に連結する構造と、ピンを用いて前記ガイド形成部材同士を連結及び分割可能に連結する構造とを含む、請求項２に記載の座掘り治具。
【請求項４】
前記壁つなぎアンカーの前記接続部は、内側に前記壁つなぎの先端部分が螺合する円筒形状を有し、
前記ガイド部先端の内周面は、前記壁つなぎアンカーの接続部の外周面と摺動可能に当接し、
前記ガイド部は、前記壁つなぎアンカーの接続部の外周面を基準として回動する、
請求項１〜３のいずれか一項に記載の座掘り治具。
【請求項５】
前記ハンドル部は、前記ガイド部の後端から更に後退した位置から放射方向に延伸する、請求項１〜４のいずれか一項に記載の座掘り治具。
【発明の詳細な説明】
【技術分野】
【０００１】
本発明は、建物の外壁に座掘り部を形成する座掘り治具に関する。
【背景技術】
【０００２】
建物の周囲に設置される仮設足場と建物とを接続するために、外壁側に延伸する壁つなぎアンカーを建物の躯体に取り付け、壁つなぎアンカーと仮設足場とを壁つなぎによって接続する構成が知られている（例えば特許文献１参照）。このような、壁つなぎアンカーと外壁との間には湿式シーリング材が充填されるが、湿式シーリング材の充填量を確保するために、壁つなぎアンカーの周囲の外壁に座掘り部を形成することがある。この座掘り部を形成する場合、壁つなぎアンカーから壁つなぎを一旦取り外し、ホールソー等の工具を用いて座掘り部を形成した後、再度、壁つなぎアンカーに壁つなぎを螺入して固定することが一般的である。
【先行技術文献】
【特許文献】
【０００３】
【特許文献１】特開平９−１０５２３０号公報
【発明の概要】
【発明が解決しようとする課題】
【０００４】
しかしながら、座掘り部を形成するために壁つなぎを取り外すと、足場が外側に倒れてしまう。このため、足場の位置を矯正して再度壁つなぎを壁つなぎアンカーに固定することは、多大な労力が必要になるという問題がある。また、一旦、壁つなぎを壁つなぎアンカーから取り外すため、足場が不安定になるという問題もある。
【０００５】
そこで、本発明は、壁つなぎを壁つなぎアンカーから取り外すことなく、壁つなぎアンカーの周囲の外壁に座掘り部を容易に形成することができる座掘り治具を提供することを目的とする。
【課題を解決するための手段】
【０００６】
本発明の一側面に係る座掘り治具は、外壁を備える建物の躯体に連結され、接続部を外壁の外側面に持ち出す壁つなぎアンカーと、一端が接続部に接続され他端が仮設足場に接続される壁つなぎと、を有する仮設足場構造において、壁つなぎアンカーの接続部の周囲にシーリング材を充填するための座掘り部を外壁に形成する座掘り治具である。座掘り治具は、壁つなぎアンカーの接続部及び壁つなぎを包囲し、壁つなぎアンカーの接続部及び壁つなぎの外周部に沿って回動するガイド部と、ガイド部の先端側に設けられ、ガイド部の回動によって外壁を切削して座掘り部を形成する切削刃と、ガイド部の後端側から放射方向に延伸するハンドル部と、を備える。ガイド部は、壁つなぎの軸線方向に対して交差する方向に着脱し得るように分割可能である。
【０００７】
この座掘り治具では、ガイド部が、壁つなぎの軸線方向に対して交差する方向に着脱し得るように分割されるので、壁つなぎを壁つなぎアンカーから取り外すことなく座掘り治具を設置することができる。このように、この座掘り治具を用いることで、壁つなぎを壁つなぎアンカーから取り外すことなく、座掘り部を容易に形成することができる。
【０００８】
ハンドル部がガイド部の後端から延伸することで、座掘り部の形成時に、ハンドル部と外壁との間に空間が確保され、作業者の手と外壁とが接触することが防止され、作業性が向上する。
【０００９】
ガイド部は、複数のガイド形成部材によって構成され、複数のガイド形成部材を連結することによって壁つなぎアンカーの接続部及び壁つなぎを包囲してもよい。この場合、ガイド形成部材同士を連結及び切り離すことで、ガイド部を、壁つなぎの軸線方向に対して交差する方向に容易に着脱することができる。
【００１０】
ガイド形成部材同士の連結構造として、ガイド形成部材同士を揺動可能に連結する構造と、ピンを用いてガイド形成部材同士を連結及び分割可能に連結する構造とを含んでいてもよい。この場合には、ピンを用いてガイド形成部材同士を連結することにより、ピンを取り外すだけでガイド形成部材同士を容易に切り離すことができる。また、ガイド形成部材同士を揺動可能に連結することで、全てのガイド形成部材同士の連結部分を切り離すことなくガイド形成部材を揺動させるだけで、アンカーの接続部及び壁つなぎに対して容易に着脱することができる。
【００１１】
壁つなぎアンカーの接続部は、内側に壁つなぎの先端部分が螺合する円筒形状を有し、ガイド部先端の内周面は、壁つなぎアンカーの接続部の外周面と摺動可能に当接し、ガイド部は、壁つなぎアンカーの接続部の外周面を基準として回動させてもよい。この場合には、壁つなぎアンカーの接続部の外周面を基準として、座掘り治具を安定して回動させることができ、座掘り部を精度よく形成することができる。
【００１２】
ハンドル部は、ガイド部の後端から更に後退した位置から放射方向に延伸していてもよい。この場合には、座掘り部の形成時に、ハンドル部と外壁との間により一層大きな空間を確保することができ、作業者の手と外壁とが接触することがより一層防止され、作業性が向上する。
【発明の効果】
【００１３】
本発明によれば、壁つなぎを壁つなぎアンカーから取り外すことなく、壁つなぎアンカーの周囲の外壁に座掘り部を容易に形成することができる。
【図面の簡単な説明】
【００１４】
【図１】一実施形態に係る座掘り治具を用いて座掘り部が形成された建物と仮設足場とを壁つなぎで接続した状態を示す断面図である。
【図２】一実施形態に係る座掘り治具を用いて座掘り部が形成された建物の外壁の正面図である。
【図３】一実施形態に係る座掘り治具の側面図である。
【図４】図３の座掘り治具の上面図である。
【図５】図３の座掘り治具を広げた状態を示す図である。
【図６】図３の座掘り治具の内側部分を示す図である。
【図７】壁つなぎに座掘り治具を設置した図である。
【図８】座掘り治具によって外壁に座掘り部を形成する様子を示す図である。
【発明を実施するための形態】
【００１５】
以下、本発明の一実施形態について図面を参照しながら説明する。なお、図面の説明において同一の要素には同一の符号を付し、重複する説明を省略する。
【００１６】
まず、座掘り部が形成される建物について説明する。図１及び図２に示すように、建物Ｙは、所定の平面モジュールを有する鉄骨造軸組の工業化住宅であり、梁１０等を連結することによって構成される軸組（躯体）１と、軸組１を囲う外壁５と、を含む。
【００１７】
梁１０は、Ｈ形鋼からなり、フランジ及びウェブにはモジュールに対応したピッチでボルト孔が設けられている。外壁５は、連接された複数の壁パネル５１によって構成される。壁パネル５１として、例えば、ＡＬＣ（軽量気泡コンクリート）パネルが用いられる。但し、後述の座掘り治具１００によって座掘り部５１ｃを形成可能であれば、他の材料からなる壁パネルを用いることができる。壁パネル５１は、梁１０に取り付けられた壁固定具１１によって固定される。
【００１８】
壁パネル５１同士の接続部分において、後述の壁つなぎアンカー２の雌ネジ部２４に対応する位置には、半円柱形状に切り欠かれた切欠き部５１ｂが設けられ、更に、壁パネル５１の外側面５１ａ側には座掘り部５１ｃが設けられる。壁パネル５１に切欠き部５１ｂ及び座掘り部５１ｃが設けられていることにより、壁つなぎアンカー２の雌ネジ部２４等が壁パネル５１に当接しない。座掘り部５１ｃは、外壁５の外側面５１ａ側から、後述する座掘り治具１００によって形成される。壁パネル５１同士の目地部、及び、座掘り部５１ｃには、湿式のシーリング材５３が充填される。座掘り部５１ｃは、雌ネジ部２４の周囲に充填されるシーリング材５３の充填量を確保するためのものである。シーリング材５３の充填後、外壁５の外側面５１ａに吹付塗装が施される。
【００１９】
梁１０には、壁つなぎアンカー２が取り付けられる。壁つなぎアンカー２は、梁１０と、足場３に連結された壁つなぎ４とを連結する。壁つなぎアンカー２は、Ｌ字板２１と、リブ２２と、連結部２３と、雌ネジ部（接続部）２４と、を含んで構成される。Ｌ字板２１は、断面略Ｌ字状に形成され、Ｌ字状の内側に板状のリブ２２が接合されている。Ｌ字板２１は、ボルト１２によって梁１０の下側フランジ１０ａの下側面に連結される。即ち、Ｌ字板２１は、下側フランジ１０ａに固定されて下側フランジ１０ａから下方側に延びている。連結部２３は、棒形状を有し、Ｌ字板２１の下端に接合される。連結部２３は、Ｌ字板２１の下端から壁パネル５１の外側面５１ａ側に向かって延びている。
【００２０】
雌ネジ部２４は、連結部２３における壁パネル５１側の端部に接合されている。雌ネジ部２４は、円筒形状を有する。雌ネジ部２４の内側には、壁つなぎ４の先端に形成された雄ネジ部４ａが螺合する。雌ネジ部２４における壁つなぎ４の先端がねじ込まれる側の端面２４ａと、壁パネル５１の外側面５１ａとは、同一面となっている。以上の構成により、雌ネジ部２４は、リブ２２及び連結部２３によって梁１０から、壁パネル５１の外側面５１ａに向けて持ち出される。また、壁つなぎアンカー２は、壁パネル５１の連接部（目地部）に雌ネジ部２４が位置するように、梁１０に取り付けられる。
【００２１】
建物Ｙの周囲には、足場（仮設足場）３が仮設される。足場３として、単管からなる建地、手摺り、及び、中桟等をクランプ或はブラケット等によって連結し、足場板を架け渡した単管足場を用いることができる。但し、単管足場に限定されず、足場３として、例えばクサビ緊結式足場等を用いることもできる。足場３は、建物Ｙの軸組１の建て方工事に先立って仮設され、建物Ｙの外装工事完了後に解体される。
【００２２】
足場３は、壁つなぎ４によって建物Ｙに連結される。足場３を建物Ｙに接続することにより、足場３を安定した状態で起立させることができる。壁つなぎ４の一端には雄ネジ部４ａが形成される。壁つなぎ４の雄ネジ部４ａは、壁つなぎアンカー２の雌ネジ部２４に螺合する。壁つなぎ４の他端側にはクランプ４１が設けられる。壁つなぎ４は、クランプ４１によって足場３に連結される。
【００２３】
壁つなぎ４における雄ネジ部４ａが設けられる側の端部近傍には、雄ネジ部４ａ側の部位とクランプ４１側の部位とを揺動可能に連結する継手部４２が設けられる。壁つなぎ４に継手部４２が設けられていることにより、クランプ４１によって挟み込む足場３の単管の位置と、壁つなぎアンカー２の雌ネジ部２４の位置とにずれが生じている場合であっても、両者を壁つなぎ４によって接続することができる。
【００２４】
次に、外壁５の壁パネル５１に座掘り部５１ｃを形成する座掘り治具１００について説明する。本実施形態に係る座掘り治具１００は、足場３と建物Ｙとが壁つなぎ４によって連結された状態で座掘り部５１ｃを形成する。図３〜図６に示すように、座掘り治具１００は、ガイド部１１０、切削刃１２０、ハンドル部１３０Ａ、及び、ハンドル部１３０Ｂを含んで構成される。
【００２５】
ガイド部１１０は、円筒形状を有する。ガイド部１１０は、壁つなぎアンカー２の雌ネジ部２４及び壁つなぎ４を包囲し、壁つなぎアンカー２の雌ネジ部２４及び壁つなぎ４の外周部に沿って回動する。ガイド部１１０は、ガイド形成部材１１１Ａ及びガイド形成部材１１１Ｂによって構成される。ガイド形成部材１１１Ａ及び１１１Ｂは、それぞれ、円筒形状の管を軸線方向に沿って２等分した形状を有する。即ち、ガイド形成部材１１１Ａ及び１１１Ｂは、断面が半円弧形状を有する。
【００２６】
ガイド形成部材１１１Ａにおいて断面半円弧形状の周方向の一端と、ガイド形成部材１１１Ｂにおいて断面半円弧形状の周方向の一端とは、ヒンジ１１２によって互いに揺動可能に連結される。
【００２７】
ガイド形成部材１１１Ａにおいて断面半円弧形状の周方向の他端には、連結部１１３Ａが設けられる。ガイド形成部材１１１Ｂにおいて断面半円弧形状の周方向の他端には、連結部１１３Ｂが設けられる。連結部１１３Ａ及び１１３Ｂは、それぞれ、ピン１１４が挿通される孔を有する。ヒンジ１１２を支点としてガイド形成部材１１１Ａ及びガイド形成部材１１１Ｂを揺動させ、ガイド形成部材１１１Ａ及び１１１Ｂの他端同士（連結部１１３Ａ及び１１３Ｂが設けられた端部同士）を当接させたときに、連結部１１３Ａに設けられた孔と連結部１１３Ｂに設けられた孔とは互いに連通する。この状態で、ピン１１４を連結部１１３Ａ及び１１３Ｂに設けられた孔に差し込むことで、ガイド形成部材１１１Ａ及び１１１Ｂの他端同士が当接した状態で固定される。これにより、ガイド形成部材１１１Ａ及び１１１Ｂによって円筒形状のガイド部１１０が形成される。
【００２８】
ピン１１４には、リング１１４ａが設けられる。リング１１４ａは、指を通すことが可能な径を有する。リング１１４ａに指を通すことにより、連結部１１３Ａ及び１１３Ｂからピン１１４を容易に引き抜くことができる。また、ピン１１４のリング１１４ａにはチェーン１１４ｂの一端が接続される。チェーン１１４ｂの他端はハンドル部１３０Ａに連結される。これにより、連結部１１３Ａからピン１１４を引き抜いた状態であっても、ピン１１４の紛失等が防止される。
【００２９】
ガイド形成部材１１１Ａ及び１１１Ｂの内側面において、ガイド部１１０の先端側（座掘り部５１ｃの形成時にガイド部１１０が切欠き部５１ｂに差し込まれる側の端部）には、厚み調整部１１５Ａ及び厚み調整部１１５Ｂがそれぞれ取り付けられる。厚み調整部１１５Ａ及び１１５Ｂは、ガイド部１１０によって壁つなぎアンカー２の雌ネジ部２４を包囲した時に、ガイド部１１０の内周面と雌ネジ部２４の外周面との隙間を小さくするために設けられる。厚み調整部１１５Ａ及び１１５Ｂは、壁つなぎアンカー２の雌ネジ部２４の外周面に対し、摺動可能となっている。これにより、雌ネジ部２４の外周面を基準として、ガイド部１１０をぶれることなく回動させることができる。
【００３０】
一方、ガイド形成部材１１１Ａ及び１１１Ｂの内側面において、ガイド部１１０の後端側には、厚み調整部１１５Ａ等は設けない。また、ガイド形成部材１１１Ａ及び１１１Ｂの内側面において、ガイド部１１０の後端側の内径は、壁つなぎ４の大径部（継手部４２等）よりも大きい。これにより、壁つなぎ４に継手部４２等の大径部があった場合であっても、ガイド部１１０によって、壁つなぎ４及び壁つなぎアンカー２の雌ネジ部２４を包囲することができる。
【００３１】
切削刃１２０は、ガイド部１１０の先端側の外周面に設けられる。本実施形態において、切削刃１２０は、ガイド部１１０の外周面の周方向に沿って略等間隔に４つ設けられる。切削刃１２０は、ガイド部１１０の回転によって壁パネル５１を切削し、座掘り部５１ｃを形成する。切削刃１２０において、ガイド部１１０の先端側は角が落とされている。これにより、ガイド部１１０を壁パネル５１の外側面５１ａ側から切欠き部５１ｂに当接させたときに、切削刃１２０の先端を切欠き部５１ｂ内に嵌め込むことができる。これにより、切削刃１２０による壁パネル５１の切削が容易となる。
【００３２】
ハンドル部１３０Ａ及び１３０Ｂは、それぞれ、ガイド形成部材１１１Ａ及び１１１Ｂの後端からガイド部１１０の軸線方向に沿って所定長さ延在し、更に、ガイド部１１０の軸線を中心として放射方向に延伸する。即ち、ハンドル部１３０Ａ及び１３０Ｂは、ガイド部１１０の後端から更に後退した位置から放射方向に延伸する。ハンドル部１３０Ａ及び１３０Ｂは、ガイド部１１０を回動させて座掘り部５１ｃを形成する際に作業者によって把持される。
【００３３】
ハンドル部１３０Ｂには、チェーン１３２の一端が接続される。チェーン１３２の他端には、フック１３１が接続される。フック１３１は、座掘り部５１ｃの形成時に座掘り治具１００が落下することがないように、作業者のベルト部分、或は、足場３等に引っ掛けられる。
【００３４】
次に、作業者が、座掘り治具１００を用いて座掘り部５１ｃを形成する手順について説明する。なお、本実施形態に係る座掘り治具１００は、壁つなぎアンカー２に壁つなぎ４が接続された状態で、壁つなぎアンカー２の雌ネジ部２４の周囲に座掘り部５１ｃを形成することができる。具体的には、まず、図５に示すように、作業者は、ピン１１４を連結部１１３Ａ及び１１３Ｂから引き抜き、ヒンジ１１２を支点としてガイド形成部材１１１Ａ及び１１１Ｂを開く（ガイド部１１０の側面を開放する）。この状態で、作業者は、図７に示すように、ガイド形成部材１１１Ａ及び１１１Ｂによって壁つなぎ４及び雌ネジ部２４を包囲し、ガイド形成部材１１１Ａ及び１１１Ｂを閉じる。
【００３５】
このように、ガイド形成部材１１１Ａ及び１１１Ｂを開くことで、壁つなぎ４の軸線方向に対して直交する方向或いは交差する方向から、壁つなぎ４に座掘り治具１００を設置することができる。このとき、切削刃１２０が設けられている側（ガイド部１１０の先端側）が雌ネジ部２４側を向くようにガイド形成部材１１１Ａ及び１１１Ｂを設置する。なお、図７及び図８では、ハンドル部１３０Ａ及び１３０Ｂについては図示を省略してある。
【００３６】
ガイド形成部材１１１Ａ及び１１１Ｂを閉じた後、作業者は、連結部１１３Ａ及び１１３Ｂにピン１１４を差し込み、ガイド形成部材１１１Ａ及び１１１Ｂが開かないように固定する。次に、作業者は、ガイド部１１０の先端側を壁パネル５１の切欠き部５１ｂ内に差し込み、或は、ガイド部１１０の先端側を壁パネル５１の切欠き部５１ｂの開口縁に当接させ、ガイド部１１０の厚み調整部１１５Ａ及び１１５Ｂの内周面を雌ネジ部２４の外周面に当接させる。
【００３７】
そして、作業者は、図８に示すように、ハンドル部１３０Ａ及び１３０Ｂを把持し、ガイド部１１０を壁パネル５１の切欠き部５１ｂ内に押し込みながら、雌ネジ部２４の外周面を基準としてガイド部１１０を回動させる。ガイド部１１０を回動させることにより、切削刃１２０によって壁パネル５１が切削され、壁パネル５１に座掘り部５１ｃが形成される。
【００３８】
座掘り治具１００を用いて座掘り部５１ｃを形成した後、作業者は、ガイド部１１０を壁パネル５１から引き抜き、ピン１１４を連結部１１３Ａ及び１１３Ｂから引き抜いてガイド部１１０を開き、壁つなぎ４及び雌ネジ部２４から座掘り治具１００を取り外す。このように、ガイド形成部材１１１Ａ及び１１１Ｂを開くことで、壁つなぎ４の軸線方向に対して直交する方向或いは交差する方向に、壁つなぎ４から座掘り治具１００を取り外すことができる。座掘り治具１００を壁つなぎ４から取り外した後、作業者は、座掘り部５１ｃにシーリング材を充填する。
【００３９】
座掘り部５１ｃにシーリング材が充填された後、建物Ｙの外装工事の完了に伴って足場３が撤去される。このとき、壁つなぎアンカー２の雌ネジ部２４にキャップを嵌め込み、雌ネジ部２４の開口部を封止する。リフォーム等によって、建物Ｙの周囲に再度足場３を設置する場合には、雌ネジ部２４に嵌めたキャップを取り外すことで、雌ネジ部２４に壁つなぎ４を接続することができる。
【００４０】
本実施形態は以上のように構成され、この座掘り治具１００では、ガイド部１１０が、壁つなぎ４の軸線方向に対して交差する方向に着脱し得るように分割されるので、壁つなぎ４を壁つなぎアンカー２から取り外すことなく座掘り治具１００を設置することができる。このように、この座掘り治具１００を用いることで、壁つなぎ４を壁つなぎアンカー２から取り外すことなく、座掘り部５１ｃを容易に形成することができる。
【００４１】
ハンドル部１３０Ａ及び１３０Ｂがガイド部１１０の後端から延伸することで、座掘り部５１ｃの形成時に、ハンドル部１３０Ａ及び１３０Ｂと外壁５との間に空間が確保され、作業者の手と外壁５とが接触することが防止され、作業性が向上する。
【００４２】
作業者がハンドル部１３０Ａ及び１３０Ｂを把持し、ガイド部１１０を手動で回動させる構成であるため、壁パネル５１を切削したときの粉が舞わないように調節をしながら、ガイド部１１０をゆっくりと回動させることができる。このため、モータ等の駆動源を用いてガイド部１１０を高速回転させる場合に比べて、作業箇所周辺の汚れ等を抑制することができる。
【００４３】
ガイド部１１０を、ガイド形成部材１１１Ａ及び１１１Ｂによって構成する。この場合、ガイド形成部材１１１Ａ及び１１１Ｂを連結及び切り離すことで、壁つなぎ４の軸線方向に対して交差する方向から、ガイド部１１０を壁つなぎ４に容易に着脱することができる。
【００４４】
ガイド形成部材１１１Ａ及び１１１Ｂを、ヒンジ１１２によって揺動可能に連結し、更に、ピン１１４を用いて連結及び分割可能に連結する。このように、ピン１１４を用いてガイド形成部材１１１Ａ及び１１１Ｂを連結することにより、ピン１１４を取り外すだけでガイド形成部材１１１Ａ及び１１１Ｂを容易に切り離すことができる。また、ガイド形成部材１１１Ａ及び１１１Ｂをヒンジ１１２を用いて揺動可能に連結することで、ガイド形成部材１１１Ａ及び１１１Ｂの全ての連結部分を切り離すことなくガイド形成部材１１１Ａ及び１１１Ｂを揺動させるだけで、壁つなぎアンカー２の雌ネジ部２４及び壁つなぎ４に対して容易に着脱することができる。
【００４５】
ガイド部１１０の先端側の内周面と壁つなぎアンカー２の雌ネジ部２４の外周面との間の隙間が小さくなるように、ガイド部１１０の内周面に厚み調整部１１５Ａ及び１１５Ｂを設ける。この場合には、壁つなぎアンカー２の雌ネジ部２４の外周面を基準として、座掘り治具１００を安定して回動させることができ、座掘り部５１ｃを精度よく形成することができる。
【００４６】
ハンドル部１３０Ａ及び１３０Ｂは、ガイド部の後端から更に後退した位置から放射方向に延伸する。これにより、座掘り部５１ｃの形成時に、ハンドル部１３０Ａ及び１３０Ｂと外壁５との間により一層大きな空間を確保することができ、作業者の手と外壁５とが接触することがより一層防止され、作業性が向上する。
【００４７】
以上、本発明の一実施形態について説明したが、本発明は、上記実施形態に限定されるものではない。例えば、雌ネジ部２４は、リブ２２及び連結部２３によって、梁１０の下方側から外壁５の外側面５１ａ側に向かって持ち出される構成としたが、雌ネジ部２４を外壁５の外側面５１ａ側に持ち出す構成は実施形態において説明した構成に限定されない。例えば、梁１０のウェブに連結部を接続し、連結部の先端に雌ネジ部２４を取り付けることによって、雌ネジ部２４を外壁５の外側面５１ａ側に持ち出す構成であってもよい。
【００４８】
ハンドル部１３０Ａ及び１３０Ｂは、ガイド部１１０の後端から更に後退した位置から放射方向に延伸するものとしたが、例えば、ガイド部１１０の後端から後ろ方向に延伸しつつ徐々に放射方向に広がる形状であってもよい。
【００４９】
切削刃１２０の形状については、ガイド部１１０の外周面から放射方向に突出するものに限定されず、壁パネル５１を切削可能な刃であれば、他の形状であってもよい。ガイド部１１０をガイド形成部材１１１Ａ及びガイド形成部材１１１Ｂの２部品によって構成したが、３部品以上によって構成することもできる。ピン１１４によってガイド形成部材１１１Ａとガイド形成部材１１１Ｂとを連結するものとしたが、連結及び分割可能に連結するものであれば、他の方法によって連結することもできる。
【符号の説明】
【００５０】
１…軸組（躯体）、２…壁つなぎアンカー、３…足場（仮設足場）、５…外壁、５１…壁パネル、５１ｃ…座掘り部、５３…シーリング材、１１０…ガイド部、１１１Ａ，１１１Ｂ…ガイド形成部材、１１２…ヒンジ（揺動可能に連結する構造）、１１４…ピン、１２０…切削刃、１３０Ａ，１３０Ｂ…ハンドル部、Ｙ…建物。
【図１】
2014240560.tif 000003
【図２】
2014240560.tif 000004
【図３】
2014240560.tif 000005
【図４】
2014240560.tif 000006
【図５】
2014240560.tif 000007
【図６】
2014240560.tif 000008
【図７】
2014240560.tif 000009
【図８】
2014240560.tif 000010